(57)【特許請求の範囲】
【請求項１】
バルーンが接続されたバルーンカテーテルを取り付け、前記バルーンを膨張及び収縮させるＩＡＢＰ駆動装置であって、
前記バルーンの内圧を示す内圧波形と、患者の血圧を示す血圧波形と、患者の心臓の電気的な活動を示す心電図波形と、を並べて表示できる表示部と、
前記表示部の表示状態を制御する表示制御部と、を有し、
前記表示制御部は、前記血圧波形が前記心電図波形に比べて前記内圧波形の近くに表示される第１の状態と、前記心電図波形が前記血圧波形に比べて前記内圧波形の近くに表示される第２の状態とで、前記表示部の前記表示状態を切り換えることができ、
操作者が前記第１の状態と前記第２の状態とを切り換えるための情報を入力可能な入力部を有し、
前記表示制御部は、前記バルーンが駆動されていない状態で前記入力部から入力された前記情報に応じて、前記第１の状態と前記第２の状態とを切り換えることを特徴とするＩＡＢＰ駆動装置。
【請求項２】
前記表示制御部は、前記バルーンが駆動されていない状態でのみ表示され、前記情報の入力を仲介するグラフィカルユーザーインターフェースを、前記表示部に表示させることを特徴とする請求項１に記載のＩＡＢＰ駆動装置。
【発明の詳細な説明】
【技術分野】
【０００１】
本発明は、ＩＡＢＰ（大動脈内バルーンポンピング）法において被駆動機器を駆動するために用いられるＩＡＢＰ駆動装置に関する。
【背景技術】
【０００２】
ＩＡＢＰ法において、十分な治療（心臓の負担軽減）効果を得るためには、患者の拍動に対して適切なタイミングで大動脈内に留置したバルーンを拡張及び収縮させる必要がある。そこで、ＩＡＢＰ法においてバルーンカテーテルのバルーンを駆動するために用いられる駆動装置では、被駆動機器であるバルーンの内圧波形を、チャート等の形式で表示可能な表示装置が搭載されているものが提案されている。また、ＩＡＢＰ駆動装置に搭載される表示装置では、バルーンの内圧波形を、患者の血圧波形や心電図波形と一緒に表示するものがある。このようなＩＡＢＰ駆動装置の操作者は、表示された波形を比較することにより、バルーンの膨張及び収縮が、患者の拍動に対して適切なタイミングで行われているかどうかを確認できる（特許文献１参照）。そして、バルーンの膨張及び収縮が適切なタイミングで行われていない場合には、操作者は、波形を比較しながら患者の拍動に対するバルーンの膨張及び収縮のタイミングを調節する。
【０００３】
一方、駆動タイミングの把握の観点からは、ＩＡＢＰ駆動装置によるバルーンの駆動は、血圧波形を表示させるための血圧信号と、心電図波形を表示させるための心電図信号の双方を、駆動装置に入力しながら行うのが理想的である。しかし、ＩＡＢＰ駆動装置が継続的に使用されるケース等に関して、血圧信号及び心電図信号のうちいずれか一方のみがＩＡＢＰ駆動装置に入力されている状態でも、バルーンの駆動を行いたいという要望がある。例えば手術中、手術室内に備えられるポリグラフなどから、血圧信号や心電図信号を間接的にＩＡＢＰ駆動装置に入力し、バルーンの駆動を行う場合がある。このような場合において、手術後もバルーンの駆動を継続するときは、２種類の信号のうち一方のみがＩＡＢＰ駆動装置に入力される状態で駆動を継続させることで、計測機器の付け換え等に必要な処置を省略し、手術時間を短縮させることが可能だからである。
【先行技術文献】
【特許文献】
【０００４】
【特許文献１】特開平６−３１５５２８号公報
【発明の概要】
【発明が解決しようとする課題】
【０００５】
従来のＩＡＢＰ駆動装置の表示部では、バルーンの内圧波形は複数並んだ波形のうちの端（特に、縦に並んだ複数の波形の一番下）に表示されるものが一般的であるため、血圧信号及び心電図信号のいずれか一方の信号のみが入力されている状態で駆動を行うと、入力されていない方の信号の表示領域が、入力されている信号の波形とバルーンの内圧波形との間に配置された表示状態となるケースが生じる。このような表示状態では、入力されている信号の波形が、バルーンの内圧波形に対して離れて表示されるため、バルーンの駆動タイミングの適否を、表示部の表示内容から判別し難いという問題が発生する。また、バルーンの駆動タイミングが適切でないと判別された場合に、マニュアル操作でタイミングを調整することが困難であるという問題も発生する。
【０００６】
本発明は、このような実状に鑑みてなされ、血圧信号及び心電図信号のうちいずれか一方のみがＩＡＢＰ駆動装置に入力されている状態でも、バルーンの駆動タイミングの適否を、表示部の波形表示から好適に判別可能で、駆動タイミングが適切でない場合にはマニュアル操作によるタイミング調整がし易いＩＡＢＰ駆動装置に関する。
【課題を解決するための手段】
【０００７】
上記目的を達成するために、本発明に係るＩＡＢＰ駆動装置は、
バルーンが接続されたバルーンカテーテルを取り付け、前記バルーンを膨張及び収縮させるＩＡＢＰ駆動装置であって、
前記バルーンの内圧を示す内圧波形と、患者の血圧を示す血圧波形と、患者の心臓の電気的な活動を示す心電図波形と、を並べて表示できる表示部と、
前記表示部の表示状態を制御する表示制御部と、を有し、
前記表示制御部は、前記血圧波形が前記心電図波形に比べて前記内圧波形の近くに表示される第１の状態と、前記心電図波形が前記血圧波形に比べて前記内圧波形の近くに表示される第２の状態とで、前記表示部の前記表示状態を切り換えることができる。
【０００８】
本発明に係るＩＡＢＰ駆動装置は、入力が継続される側の信号の波形が、バルーンの内圧波形の近くに配置される表示状態に設定しておくことにより、血圧信号及び心電図信号のうちいずれか一方のみがＩＡＢＰ駆動装置に入力されている状態でも、バルーンの駆動タイミングの適否を表示部の波形表示から好適に判別でき、マニュアル操作によるタイミング調整も容易になる。
【０００９】
また、例えば、本発明に係るＩＡＢＰ駆動装置は、操作者が前記第１の状態と前記第２の状態とを切り換えるための情報を入力可能な入力部を有してもよく、
前記表示制御部は、前記バルーンが駆動されていない状態で前記入力部から入力された前記情報に応じて、前記第１の状態と前記第２の状態とを切り換えてもよい。
【００１０】
このようなＩＡＢＰ駆動装置は、バルーンが駆動されていない状態で入力された情報に応じて表示状態を切り換えるため、バルーンの駆動中に誤って表示状態が切り換わる問題を防止できる。
【００１１】
また、例えば、前記表示制御部は、前記バルーンが駆動されていない状態でのみ表示され、前記情報の入力を仲介するグラフィカルユーザーインターフェースを、前記表示部に表示させてもよい。
【００１２】
このようなＩＡＢＰ駆動装置は、簡単な操作で表示状態の切り換えが可能であるとともに、バルーンの駆動中に表示状態が切り換わり混乱が生じる問題を確実に防止できる。
【図面の簡単な説明】
【００１３】
【図１】図１は、本発明の一実施形態に係るＩＡＢＰ駆動装置の概略構成図である。
【図２】図２は、本発明の一実施形態に係るＩＡＢＰ駆動装置の全体外観図である。
【図３】図３は、図２に示すモニタ部を正面から見た外観図である。
【図４】図４は、図２に示すモニタ部の内部構成を表すブロック図である。
【図５】図５は、図２に示すモニタ部の表示部における第１の表示状態及び第２の表示状態を表す図である。
【図６】図６は、図２に示すモニタ部の表示部におけるグラフィカルユーザーインターフェースの表示状態を表す図である。
【発明を実施するための形態】
【００１４】
以下、本発明に係るＩＡＢＰ駆動装置を、図面に示す実施形態に基づき、詳細に説明する。
【００１５】
図１は、本発明の一実施形態に係るＩＡＢＰ駆動装置１０の概略構成図である。ＩＡＢＰ駆動装置１０は、バルーン８２が接続されたＩＡＢＰ用バルーンカテーテル８０を取り付けて、バルーン８２を膨張及び収縮させるために用いられる駆動装置である。バルーンカテーテル８０は、ＩＡＢＰ駆動装置１０のカテーテル接続部２４に取り付けて使用される。バルーンカテーテル８０の先端に接続されたバルーン８２は、下行大動脈内に留置されて使用される。ＩＡＢＰ駆動装置１０は、心臓の拍動に合わせてバルーン８２を膨張及び収縮させることにより、心臓の血液循環機能を補助することができる。
【００１６】
図２は、ＩＡＢＰ駆動装置１０の外観図である。図１及び図２に示すように、ＩＡＢＰ駆動装置１０は、本体筐体部２２及びモニタ設置部３０を有する装置本体２０と、パイロットランプ５５、衝撃吸収部５７等を有するモニタ部５０とを有する。本体筐体部２２の内部には、バルーン８２を膨張・収縮するための圧力発生手段２６が収納されている。圧力発生手段２６は、バルーン８２を膨張させるヘリウム等のガスを貯蔵するガスタンクや、所定の圧力に保たれる圧力室や、圧力を伝達する圧力伝達隔壁装置（アイソレータ）や、圧力室を接続する配管及び電磁弁等を有している。圧力発生手段２６については、任意の公知技術を採用すればよく、その詳細な説明については省略する。
【００１７】
本体筐体部２２の底部には、キャスター２８が備えられており、必要に応じてＩＡＢＰ駆動装置１０を迅速に移動させることが可能である。また、装置本体２０には、圧力発生手段２６やモニタ部５０等に電力を供給するためのバッテリ２７が備えられている（図１参照）。ＩＡＢＰ駆動装置１０は、バッテリ２７の電力を用いることにより、患者を手術室からＩＣＵや病室に搬送する間など、交流電源からの電力の供給を受けることが難しい状況でも、バルーン８２の駆動を継続することが可能である。
【００１８】
モニタ部５０を設置するモニタ設置部３０は、本体筐体部２２の上方に設けられている。モニタ設置部３０は可動部を有しており、ＩＡＢＰ駆動装置１０の使用者は、本体筐体部２２を動かすことなく、モニタ部５０の向きを変更することが可能である。
【００１９】
モニタ部５０は、モニタ設置部３０に対して着脱自在に取り付けられている。ＩＡＢＰ駆動装置１０の使用者は、必要に応じて、装置本体２０とは離れた場所にモニタ部５０を設置して、そこから装置本体２０を操作することが可能である。モニタ部５０は略矩形平板状の形状を有している。モニタ部５０は、中央上部に設けられるパイロットランプ５５と、正面上部に設けられる表示部５４と、正面下部に設けられる操作入力部５６と、筐体を周方向に取り囲むように帯状に設けられる衝撃吸収部５７とを有する。また、モニタ部５０は、不図示のケーブルによって本体筐体部２２と接続されており、装置本体２０と通信可能である。
【００２０】
図３は、モニタ部５０を正面側から視た平面図である。表示部５４は、ＩＡＢＰ駆動装置１０に関する情報を表示する。表示部５４は、装置の設定を行うためのグラフィカルユーザーインターフェースや装置の設定状態を表示する装置情報表示領域５４ａと、波形を表示する波形表示領域５４ｂとを有する。表示部５４は、液晶表示パネル等で構成される。装置情報表示領域５４ａに表示されるグラフィカルユーザーインターフェースの表示状態及び波形表示領域５４ｂに表示される波形の表示状態については、後ほど詳しく説明する。
【００２１】
操作入力部５６は、複数のボタン、選択キー等によって構成されており、ＩＡＢＰ駆動装置１０の操作者は、操作入力部５６を介して操作信号を入力し、ＩＡＢＰ駆動装置１０の駆動開始及び停止、駆動条件の変更、表示部５４の表示状態の変更等を行うことができる。また、操作入力部５６が配置されている部分は、表示部５４が配置されている部分に対して、正面に起き上がる方向に屈曲しており、１５度〜２０度傾斜している（図２参照）。このようなモニタ部５０は、表示部５４を鉛直に近い状態に立てた状態で、操作入力部５６のボタン操作を正確に行うことができるため、視認性と操作性を両立できる。
【００２２】
パイロットランプ５５は、透明又は半透明のカバー及びカバーの内部に配置された複数のＬＥＤ等によって構成される。パイロットランプ５５は、バルーン８２の駆動状態に応じて点灯状態が変化する。パイロットランプ５５の点灯状態は、モニタ部５０の内部に備えられる制御部５２によって制御される。衝撃吸収部５７は、万が一落下した時などに生じる衝撃から、表示部５４及びパイロットランプ５５を保護する。衝撃吸収部５７の材質は特に限定されないが、ゴム又はエラストマのような弾性を有する材料によって構成される。
【００２３】
図４は、モニタ部５０の内部構成を表すブロック図である。モニタ部５０は、図２及び図３に示す表示部５４、パイロットランプ５５、操作入力部５６の他に、信号入力部５１、制御部５２、外部メモリ取付部５８、記憶部６０等を有する。制御部５２と記憶部６０は、モニタ部５０の筐体内部に収納されている。
【００２４】
信号入力部５１は、バルーン８２の内圧を示す内圧信号と、患者の血圧（動脈圧）を示す血圧信号と、患者の心臓の電気的な活動を示す心電図信号とを取得し、制御部５２に伝える。バルーン８２の内圧は、図１に示す装置本体２０の圧力発生手段２６で発生した圧力を、カテーテル接続部２４を経て、バルーン８２の内部に伝達する圧力導通路のカテーテル接続部２４近傍等に備えられる圧力センサを用いて測定され、内圧を示す内圧信号として信号入力部５１に入力される。
【００２５】
患者の血圧は、バルーンカテーテル８０又は動脈に接続された他のカテーテルに対して取り付けられた圧力トランスデューサ等を用いて測定され、圧力トランスデューサ等を備える血圧計測器の出力が、血圧を示す血圧信号として信号入力部５１に入力される。血圧信号は、圧力トランスデューサ等を備える血圧計測器の出力信号がＩＡＢＰ駆動装置１０に入力されることにより、血圧計測器から直接取得されてもよい。また、血圧信号は、血圧計測器の出力信号がポリグラフに入力された後、ポリグラフからの出力信号をＩＡＢＰ駆動装置１０が取得することにより、間接的に取得されてもよい。
【００２６】
患者の心臓の電気的な活動は、患者に取り付ける端子を備える心電計によって測定され、心電計の出力が、心臓の電気的な活動を示す心電図信号として、信号入力部５１に入力される。心電図信号は、血圧信号と同様に、心電計等の計測器からＩＡＢＰ駆動装置１０へ直接入力されてもよく、ポリグラフやベッドサイドモニタ等を介して間接的に取得されてもよい。
【００２７】
なお、信号入力部５１に入力される信号は、制御部５２で処理可能なデジタル信号であってもよく、Ａ／Ｄ変換されていないアナログ信号であっても良い。信号がアナログ信号である場合、信号入力部５１は、制御部５２で処理可能なデジタル信号に変換したのち、各信号を制御部５２に伝える。
【００２８】
制御部５２は、ＩＡＢＰ駆動装置１０の制御を行う。制御部５２は、バルーンカテーテル８０のバルーン８２の駆動を制御する駆動制御部５２ａと、表示部５４の表示内容を制御する表示制御部５２ｃとを有する。駆動制御部５２ａ及び表示制御部５２ｃの区別は演算内容に基づくものであり、制御部５２は１つのマイクロプロセッサによって構成されていても良く、駆動制御部５２ａと表示制御部５２ｃとが異なる集積回路で構成されていても良い。
【００２９】
駆動制御部５２ａは、信号入力部５１から伝えられた信号を用いて演算処理を実施し、装置本体２０の圧力発生手段２６を制御することにより、バルーン８２の駆動を行う。この際、駆動制御部５２ａは、圧力発生手段２６等の駆動に必要な駆動制御情報６８を、記憶部６０から読み出すことができる。記憶部６０に記憶される駆動制御情報６８には、バルーン８２の膨張・収縮を開始するタイミングを決定するための条件や、タイミングの算出に用いるパラメータなどが含まれる。
【００３０】
駆動制御部５２ａは、通常、内圧信号、血圧信号及び心電図信号の３つの信号を信号入力部５１から受け取りながら、バルーン８２の駆動を行う。しかし、駆動制御部５２ａは、血圧信号及び心電図信号のいずれか一方のみしかＩＡＢＰ駆動装置１０に入力されない状態であっても、内圧信号と血圧信号、又は内圧信号と心電図信号の２つの信号を信号入力部５１から受け取りながら、バルーン８２の駆動を行うことが可能である。この場合、駆動制御部５２ａは、血圧信号及び心電図信号のうち、継続的にＩＡＢＰ駆動装置１０に入力され続けている方の信号に基づいて、バルーン８２の膨張・収縮を開始するタイミングを算出し、バルーン８２の駆動を行う。
【００３１】
図４に示す表示制御部５２ｃは、表示部５４による表示内容を制御する。表示制御部５２ｃは、信号入力部５１から伝えられた、内圧信号、血圧信号及び心電図信号を用いて、バルーン８２の内圧の経時変化を示す内圧波形、患者の血圧の経時変化を示す血圧波形、及び患者の心臓の電気的な活動の経時変化を示す心電図波形を、表示部５４に並べて表示させる。また、表示制御部５２ｃは、ＩＡＢＰ駆動装置１０の初期設定等が行なわれる際、操作者による情報の入力を仲介するグラフィカルユーザーインターフェースを、表示部５４に表示させる。
【００３２】
さらに、表示制御部５２ｃは、表示部５４に表示される波形等の表示状態を制御することができる。表示制御部５２ｃは、表示部５４による表示内容を制御する際、記憶部６０に記憶される表示情報６６や、表示制御情報６７を用いることができる。表示情報６６には、表示部５４に表示させるコメント等の文字情報が含まれ、表示制御情報６７には、波形の表示状態を第１の表示状態９２とするか、第２の表示状態９４とするかを定めた情報が含まれる。例えば、操作入力部５６から入力された情報は、一度表示制御情報６７として記憶部６０に記憶され、記憶された表示制御情報６７を、必要なタイミングで表示制御部５２ｃが読み出すことにより、入力された情報に基づく表示状態の制御が行われる。
【００３３】
操作者は、表示部５４に表示される波形を見て、トリガー（バルーン８２の膨張・収縮を開始するタイミングを算出するための基準とする、血圧信号又は心電図信号における特定の波形）に対する、バルーン８２の膨張・収縮のタイミングが良好でないと判断した場合には、操作入力部５６の操作により、駆動制御部５２ａにタイミングを算出させる駆動（オート駆動）から、マニュアル駆動に切り替えて、表示部５４に表示される波形を見ながら、タイミングを調節することができる。
【００３４】
記憶部６０は、上述したように、表示情報６６、表示制御情報６７及び駆動制御情報６８など、制御部５２が用いる情報を記憶する。記憶部６０は、ハードディスクやフラッシュメモリのような不揮発性のメモリによって構成されるが、情報を記憶及び更新可能なものであれば、特に限定されない。また、モニタ部５０は、外部メモリ取付部５８を有しており、ＵＳＢメモリのような着脱可能な記憶媒体を取り付けることができる。制御部５２は、外部メモリ取付部５８に取り付けられた記憶媒体に対して、記憶部６０に記憶された情報をコピーすることができる。また、モニタ部５０は、プリンタ８４と通信することが可能であり、ＩＡＢＰ駆動装置１０の使用者は、必要に応じて、波形データ等を印刷することができる。
【００３５】
以下、図４〜図６等を用いて、表示制御部５２ｃ及び表示部５４等による波形データの表示動作の一例を説明する。
【００３６】
図５（ａ）は、第１の表示状態９２における表示部５４の表示内容の一例を表しており、図５（ｂ）は、第２の表示状態９４における表示部５４の表示内容の一例を表している。表示部５４が第１の表示状態９２であって、バルーン８２が駆動されている状態である場合、図５（ａ）に示すように、表示部５４には、血圧波形５４ｂｂが、心電図波形５４ｂｃに比べて内圧波形５４ｂａの近くに表示される。すなわち、第１の表示状態９２である場合、表示部５４の波形表示領域５４ｂには、上から心電図波形５４ｂｃ、血圧波形５４ｂｂ、内圧波形５４ｂａの順に、３つの波形が並んで表示される。
【００３７】
一方、表示部５４が第２の表示状態９４であって、バルーン８２が駆動されている状態である場合、図５（ｂ）に示すように、表示部５４には、心電図波形５４ｂｃが、血圧波形５４ｂｂに比べて内圧波形５４ｂａの近くに表示される。より具体的には、第２の表示状態９４である場合、表示部５４の波形表示領域５４ｂには、上から血圧波形５４ｂｂ、心電図波形５４ｂｃ、内圧波形５４ｂａの順に、３つの波形が並んで表示される。なお、バルーン８２が駆動中であれば、表示部５４が第１の表示状態９２であるか、第２の表示状態９４の場合であるかにかかわらず、表示部５４の装置情報表示領域５４ａには、バルーン８２の駆動条件や、駆動時間などの文字情報が表示される。
【００３８】
図５（ａ）に示す第１の表示状態９２において、バルーン８２の駆動中に心電図信号が入力されなくなると、波形表示領域５４ｂには、心電図波形５４ｂｃが表示されなくなる。しかし、先に述べたように、駆動制御部５２ａは、引き続きＩＡＢＰ駆動装置１０に入力されている血圧信号及び内圧信号を用いて、バルーン８２の駆動を継続できる。この場合、表示部５４の波形表示領域５４ｂには、内圧波形５４ｂａと血圧波形５４ｂｂが表示され続けており、しかも血圧波形５４ｂｂが内圧波形５４ｂａに隣接しているため、バルーン８２の駆動タイミングの適否を、表示部５４の表示内容から好適に判別できる。
【００３９】
一方、図５（ｂ）に示す第２の表示状態９４において、バルーン８２の駆動中に血圧信号が入力されなくなると、波形表示領域５４ｂには、血圧波形５４ｂｂが表示されなくなる。しかし、駆動制御部５２ａは、引き続きＩＡＢＰ駆動装置１０に入力されている心電図信号及び内圧信号を用いて、バルーン８２の駆動を継続できる。この場合、表示部５４の波形表示領域５４ｂには、内圧波形５４ｂａと心電図波形５４ｂｃが表示され続けており、しかも心電図波形５４ｂｃが内圧波形５４ｂａに隣接しているため、バルーン８２の駆動タイミングの適否を、表示部５４の表示内容から好適に判別できる。
【００４０】
このように、ＩＡＢＰ駆動装置１０では、血圧信号と心電図信号のうちどちらがバルーン８２の駆動中に入力されなくなるかを、バルーン８２の駆動開始前に考慮して、表示部５４を第１の表示状態９２とするか、第２の表示状態９４とするかが選択されることが好ましい。これにより、ＩＡＢＰ駆動装置１０は、血圧信号と心電図信号のうち一方しか入力されていない状態となっても、バルーン８２の駆動タイミングの適否を、表示部５４の表示内容から好適に判別できる。なお、バルーン８２の駆動中に、血圧信号と心電図信号のうちどちらがＩＡＢＰ駆動装置１０に入力されなくなるかは、バルーン８２の駆動開始前に、手術手順等で決められているのが通常である。
【００４１】
表示部５４を第１の表示状態９２とするか、第２の表示状態９４とするかは、図３に示す表示制御部５２ｃによって制御される。表示制御部５２ｃは、バルーン８２が駆動されていない状態で操作入力部５６から入力され記憶部６０に記憶されている表示制御情報６７を読み出し、表示部５４の表示状態を決定する。図６は、操作者が第１の表示状態９２と第２の表示状態９４とを切り換えるための情報を、操作入力部５６から入力する際に、表示制御情報６７が表示部５４に表示させる表示内容を表している。
【００４２】
図６（ａ）及び図６（ｂ）に示すように、バルーン８２が駆動されていない状態で行われるＩＡＢＰ駆動装置１０の初期設定において、表示制御部５２ｃは、表示部５４の装置情報表示領域５４ａに、操作者による入力を仲介するグラフィカルユーザーインターフェースを表示させる。なお、ＩＡＢＰ駆動装置１０の初期設定は、ＩＡＢＰ駆動装置１０の主電源がＯＮになったときや、バルーン８２が駆動されていない状態でのメインスイッチの長押しなど、所定の操作が行われたときに開始される。
【００４３】
初期設定の際、表示部５４に表示されるグラフィカルユーザーインターフェースには、第１の表示状態９２と第２の表示状態９４とを切り換えるための情報入力を仲介するグラフィカルユーザーインターフェース５４ａａの他に、音声のＯＮ／ＯＦＦや、駆動状態を切り換えるためのものが含まれる。表示部５４の表示状態を、第１の表示状態９２と第２の表示状態９４との間で切り換える場合、操作者は図３に示す操作入力部５６の方向キーを操作し、グラフィカルユーザーインターフェース５４ａａを選択した上で、操作入力部５６の決定キーを押す。
【００４４】
このような情報入力操作が行われた場合、図３に示す表示制御部５２ｃは、図６（ａ）のように「心電図」の文字を「血圧」の文字の上に表示した状態と、図６（ｂ）のように「血圧」の文字を「心電図」の文字の上に表示した状態とで、グラフィカルユーザーインターフェース５４ａａの表示状態を切り換える。また、表示制御部５２ｃは、グラフィカルユーザーインターフェース５４ａａの表示状態が、操作者の情報入力操作により図６（ａ）のように切り換えられた場合は、表示部５４を第１の表示状態９２（図５（ａ）参照）とするように、記憶部６０の表示制御情報６７を変更する。一方、表示制御部５２ｃは、グラフィカルユーザーインターフェース５４ａａの表示状態が、操作者の情報入力操作により図６（ｂ）のように切り換えられた場合は、表示部５４を第２の表示状態９４（図５（ｂ）参照）とするように、記憶部６０の表示制御情報６７を変更する。
【００４５】
このような初期設定により、表示制御部５２ｃは、バルーン８２が駆動されていない状態において操作入力部５６から入力された情報に応じて、第１の状態と第２の状態とを切り換えることができる。なお、表示状態を切り換えるためのグラフィカルユーザーインターフェース５４ａａは、バルーン８２が駆動されていない状態で行われる初期設定でのみ表示され、図５に示すようなバルーン８２の駆動中は、表示部５４に表示されない。このようなＩＡＢＰ駆動装置１０は、簡単な操作で表示部５４における表示状態の切り換えが可能であるとともに、バルーン８２の駆動中に表示状態が切り換わり混乱が生じる問題を確実に防止できる。
【００４６】
なお、本発明に係るＩＡＢＰ駆動装置は、上述の実施形態に示すものに限定されず、発明の技術的思想を逸脱しない範囲で、様々な変更及び改良を施すことができる。例えば、図５（ａ）及び図５（ｂ）に示す例では、内圧波形５４ｂａが血圧波形５４ｂｂ及び心電図波形５４ｂｃより下に表示されているが、内圧波形５４ｂａの表示位置はこれに限定されない。また、第１の表示状態９２と第２の表示状態９４の切り換えは、初期設定で入力された情報に応じて行われる態様に限定されず、他のタイミングでの操作者による情報入力や、制御部５２によって検出された信号の入力状態に応じて行われてもよい。
【００４７】
また、表示制御部５２ｃは、血圧波形５４ｂｂと心電図波形５４ｂｃのうちいずれか一方しか表示部５４に表示しない場合は、表示する一方の波形を、血圧波形５４ｂｂと心電図波形５４ｂｃの双方を表示する場合よりも大きく表示してもよい。このような表示制御部５２ｃは、血圧波形５４ｂｂと心電図波形５４ｂｃのうちいずれか一方しか表示されない状態において、他方の波形が表示されていた表示領域を用いて、一方の波形を振幅方向に大きく表示し、波形の視認性を向上させることができる。
【００４８】
また、上述の実施形態では、血圧信号と心電図信号のうちどちらか一方がバルーン８２の駆動中に入力されなくなる状態を想定して、第１の表示状態９２と第２の表示状態９４を選択している。しかし、第１の表示状態９２及び第２の表示状態９４を選択する理由は、これに限定されるものではなく、トリガーの対象となる波形に応じて選択されてもよく、操作者の好みに応じて選択されてもよい。
【符号の説明】
【００４９】
１０…ＩＡＢＰ駆動装置
２０…装置本体
２７…バッテリ
５０…モニタ部
５２…制御部
５２ａ…駆動制御部
５２ｃ…表示制御部
５４…表示部
５４ｂａ…内圧波形
５４ｂｂ…血圧波形
５４ｂｃ…心電図波形
５６…操作入力部
６０…記憶部
６７…表示制御情報
８０…バルーンカテーテル
９２…第１の表示状態
９４…第２の表示状態
【図１】
0006536786.tif 000002
【図２】
0006536786.tif 000003
【図３】
0006536786.tif 000004
【図４】
0006536786.tif 000005
【図５】
0006536786.tif 000006
【図６】
0006536786.tif 000007